(57)【要約】【課題】少ない部品点数で複数個の太陽電池モジュールを並列に接続することを可能にし、施工性を高めることのできる太陽電池モジュールの配線構造と、この配線構造を実現するための太陽電池モジュール用端子ボックスを提供する。【解決手段】結線用の開口部１２が形成されたボックス本体１１は、太陽電池モジュールＭの出力端が開口部１２を介して接続されるプラス側電極接続端子１４及びマイナス側電極接続端子１５とを備える。さらにボックス本体１１は、プラス側電極接続端子１４に導通する複数個のコネクタ１７と、マイナス側電極接続端子１５に導通し前記プラス側のコネクタ１７と同個数のコネクタ１７とを備え。各コネクタ１７は、隣接する太陽電池モジュールＭの端子ボックス１から導出された同極のコネクタ１７と嵌合して互いを並列に接続する。【選択図】  図１
2004349507.tif 000002
【特許請求の範囲】
【請求項１】
複数個の太陽電池モジュールを互いに並列に接続しうる太陽電池モジュール用端子ボックスであって、
結線用の開口部が形成されたボックス本体と、このボックス本体内に配設されて太陽電池モジュールの出力端が前記開口部を介して接続されるプラス側電極接続端子及びマイナス側電極接続端子とを有し、
前記ボックス本体には、プラス側電極接続端子及びマイナス側電極接続端子に導通する複数個のコネクタが備えられて、これらのコネクタが、隣接する太陽電池モジュールの端子ボックスから導出された同極のコネクタと互いに嵌合して電気的に接続されることを特徴とする太陽電池モジュール用端子ボックス。
【請求項２】
ボックス本体に備えられるコネクタは２極コネクタであることを特徴とする請求項１に記載の太陽電池モジュール用端子ボックス。
【請求項３】
ボックス本体に備えられるコネクタは個別の１極コネクタの対であることを特徴とする請求項１に記載の太陽電池モジュール用端子ボックス。
【請求項４】
請求項２又は３に記載の端子ボックスにおいて、各コネクタの嵌合部分はゴム系材料にて形成されていることを特徴とする太陽電池モジュール用コネクタ。
【請求項５】
複数個の太陽電池モジュールを互いに並列に接続し、並列接続された太陽電池モジュールの複数組を直列に接続することにより所定の電力を得る太陽電池モジュールの配線構造であって、
各太陽電池モジュールの受光面の背面側には、
結線用の開口部が形成されたボックス本体と、このボックス本体内に配設されて太陽電池モジュールの出力端が前記開口部を介して接続されるプラス側電極接続端子及びマイナス側電極接続端子とを有してなる太陽電池モジュール用端子ボックスが備えられ、
前記ボックス本体には、プラス側電極接続端子及びマイナス側電極接続端子に導通する複数個のコネクタが設けられて、
隣接する太陽電池モジュール同士が、前記端子ボックスから導出された同極のコネクタ同士を電気的に接続して並列接続されていることを特徴とする太陽電池モジュールの配線構造。
【発明の詳細な説明】
【０００１】
【発明の属する技術分野】
この発明は、太陽電池モジュール同士を接続する太陽電池モジュール用端子ボックス、及びこの端子ボックスを用いた太陽電池モジュールの配線構造に関する。
【０００２】
【従来の技術】
従来の太陽電池では、１つの太陽電池あたりの電圧が４０Ｖ程度と比較的低かったため、例えば６個の太陽電池を直列接続して１組とし、１組あたりの電圧を２００Ｖ以上に高めていた。ところが、近年、高い発電電圧の太陽電池が開発されて、例えば１つの太陽電池で１００Ｖ以上の電圧が得られるものもある。このような太陽電池を用いる場合、２００Ｖの電圧を得るには２つの太陽電池を直列接続すればよい。そして、これらの２直列接続の太陽電池を互いに並列接続とする配線構造がとられる。
【０００３】
例えば、２直列接続によって屋根の上に１２０個の太陽電池モジュールを設置する場合、２個の太陽電池の直列回路が６０組形成される。これら６０組の太陽電池モジュールを従来と同様に並列に接続すれば、１２０本ものケーブルが必要となって、ケーブルの管理も困難になる。そこで、このような太陽電池モジュールの組を並列接続するケーブルの本数を減らすために、基幹ケーブルの必要箇所に分岐部を設けた配線構造が提案されている（例えば、特許文献１参照。）。
【０００４】
図１７及び図１８に示すように、この種の配線構造は、プラス側導線とマイナス側導線とが一本化された２芯の基幹ケーブル９に対して分岐部９１が設けられる。分岐部９１には分岐ケーブル９２が接続され、この分岐ケーブル９２の先端には太陽電池モジュール側に接続するためのコネクタ９３が設けられている。２芯の基幹ケーブル９の分岐部９１には、プラス側導線から分岐させた単芯の第１分岐ケーブル９２１と、マイナス側導線から分岐させた単芯の第２分岐ケーブル９２２とがそれぞれ別個に延設される。
【０００５】
２直列接続した太陽電池モジュールＭの組は、かかる配線構造によって並列に接続され、直列一端側のプラス側リード線を分岐部９１から分岐させた第１分岐ケーブル９２１に接続し、直列他端側のマイナス側リード線を第２分岐ケーブル９２２に接続する構成となっている。
【０００６】
【特許文献１】
特開２００２−３２９８８１号公報
【０００７】
【発明が解決しようとする課題】
従来は前記したような配線構造とすることで、必要なケーブル長の低減が図られていた。しかしながら、前記従来の配線構造では、太陽電池モジュールの配設箇所に合わせて適宜基幹ケーブルを切断し、そのシース材及び絶縁体を剥がして導体を露出させ、必要数の分岐ケーブルの導体と端子にてカシメ接続させる要領にて分岐部が形成される。したがって、かかる配線構造を採用すると、屋根上又は工場においてあらかじめ前記の作業により分岐部を形成する必要があり、非常に煩雑で手間がかかっていた。
【０００８】
また、基幹ケーブルとは別に分岐ケーブルを用意し、この分岐ケーブルの本数に相当する多数のコネクタも必要となってコストが嵩む。そのため、ケーブルの本数や部品点数をさらに低減してコストを抑えるとともに、配線作業を容易にして施工性を高めることが求められている。
【０００９】
本発明は以上のような事情にかんがみてなされたものであり、少ない部品点数で複数個の太陽電池モジュールを並列に接続することを可能にし、施工性を高めた太陽電池モジュールの配線構造と、この配線構造を実現するための太陽電池モジュール用端子ボックスを提供することを目的とする。
【００１０】
【課題を解決するための手段】
前記の目的を達成するため、複数個の太陽電池モジュールを互いに並列に接続しうる太陽電池モジュール用端子ボックスであって、結線用の開口部が形成されたボックス本体と、このボックス本体内に配設されて太陽電池モジュールの出力端が前記開口部を介して接続されるプラス側電極接続端子及びマイナス側電極接続端子とを有し、前記ボックス本体には、プラス側電極接続端子及びマイナス側電極接続端子に導通する複数個のコネクタが備えられて、これらのコネクタが、隣接する太陽電池モジュールの端子ボックスから導出された同極のコネクタと互いに嵌合して電気的に接続されることを特徴とする。
【００１１】
すなわち本発明は、２直列接続の太陽電池モジュールの組を複数組、並列に接続する前記従来の配線構造の場合と同等以上の電力が得られる新たな配線構造として、複数個の太陽電池モジュールをそれぞれ並列に接続し、この並列接続された太陽電池モジュールの複数組を互いに直列に接続させる配線構造を採用している。
【００１２】
そして、本発明の端子ボックスによれば、複数個の太陽電池モジュールを容易に並列接続することができ、この接続には基幹ケーブルや分岐ケーブルを要しないので、従来のケーブルの配設作業や分岐部を形成する一連の作業が不要となって、施工性を格段に高めることができる。
【００１３】
また、本発明の端子ボックスにおいて、ボックス本体に備えられるコネクタは２極コネクタであることが好ましい。すなわち本発明は、ボックス本体のプラス側電極接続端子及びマイナス側電極接続端子に導通するコネクタが、プラス極及びマイナス極の２電極で構成された２極タイプのコネクタ（以下、２極コネクタという。）であることによって特徴づけられる。
【００１４】
これによれば、１つのコネクタをプラス極側又はマイナス極側の専用品として使用する必要がなく、また極性を誤って接続することもなくなるので、さらなる作業性の向上やコストダウンを図ることができる。
【００１５】
また、本発明の端子ボックスにおいて、ボックス本体に備えられるコネクタは個別の１極コネクタの対とされてもよい。すなわち本発明は、ボックス本体のプラス側電極接続端子及びマイナス側電極接続端子に導通するコネクタが、プラス極又はマイナス極の１極タイプのコネクタ（以下、１極コネクタという。）で構成され、このプラス極側コネクタとマイナス極側コネクタとの対として形成されていることを特徴としている。この場合、１つのコネクタをプラス極側又はマイナス極側の専用品として使用することができる。
【００１６】
前記の端子ボックスにおいて、各コネクタの嵌合部分はゴム系材料にて形成されていることが好ましい。これによれば、隣接する太陽電池モジュールの端子ボックスから導出されたコネクタをそれぞれ同極同士で嵌合させたとき、両者の嵌合部分が良好に密着して、安定した高い水密性を得ることができる。
【００１７】
また、本発明は複数個の太陽電池モジュールを互いに並列に接続し、並列接続された太陽電池モジュールの複数組を直列に接続することにより所定の電力を得る太陽電池モジュールの配線構造であって、各太陽電池モジュールの受光面の背面側には、結線用の開口部が形成されたボックス本体と、このボックス本体内に配設されて太陽電池モジュールの出力端が前記開口部を介して接続されるプラス側電極接続端子及びマイナス側電極接続端子とを有してなる太陽電池モジュール用端子ボックスが備えられ、前記ボックス本体には、プラス側電極接続端子及びマイナス側電極接続端子に導通する複数個のコネクタが設けられて、隣接する太陽電池モジュール同士が、前記端子ボックスから導出された同極のコネクタ同士を電気的に接続して並列接続されていることを特徴とする。
【００１８】
この発明によれば、屋根上に配設される複数個の太陽電池モジュールは、各太陽電池モジュールに備えられた端子ボックスが有するコネクタを同極同士嵌め合わせるだけで互いに並列に接続することができるので、渡り配線等は不要となって、配線作業を容易に行うことができ、作業効率を格段に向上させることができる。
【００１９】
【発明の実施の形態】
以下、本発明に係る太陽電池モジュール用端子ボックスの実施の形態について、図面を参照しつつ説明する。
【００２０】
なお、本発明に係る太陽電池モジュール用端子ボックスとしては複数の実施の形態が考えられるが、以下の説明においては、そのうちの５つについて示し、各実施の形態において共通する部分には同符号を用いることとする。
【００２１】
＜第１の実施の形態＞
図１から図５は本発明の第１の実施の形態を示し、図１は端子ボックスの上面視部分断面図、図２は上面図、図３は側面図、図４は側面視部分断面図、図５は端子ボックスに備えられたコネクタの断面図である。
【００２２】
この実施の形態の端子ボックス１は、例えば変性ＰＰＯ（ポリフェニレンオキシド）などの耐候性、電気絶縁性、耐衝撃性、耐熱性、難燃性といった特性を有する樹脂によって略箱形に成型加工されたボックス本体１１を備えている。
【００２３】
ボックス本体１１は、天面側が開口するとともに、底面側に結線用の開口部１２が形成され、天面側の開口が蓋体１３で閉鎖されうる構成となっている（図４参照）。このボックス本体１１は、太陽電池モジュールＭの背面側に接着剤などを用いて固定される。
【００２４】
図１に示すように、ボックス本体１１の内部には、プラス側電極接続端子１４及びマイナス側電極接続端子１５が並設されている。そして、各電極接続端子１４，１５の両端には接続用ケーブル１６の導体１６ａがそれぞれカシメ止めされている。この接続用ケーブル１６はいずれも、内部に導体１６ａを有する２本のコア１６ｂ，１６ｂを１本のシース１６ｃで束ねた２芯ケーブルである。
【００２５】
各電極接続端子１４，１５のほぼ中央部は、太陽電池モジュールＭの図示しない出力端が前記背面側の開口部１２を介して結線されうる接続部１４ａ，１５ａが形成されている。
【００２６】
プラス側及びマイナス側の各電極接続端子１４，１５に接続された２本の接続用ケーブル１６の端部にはそれぞれ、コネクタ１７が設けられている。このコネクタ１７は、雄端子１７１及び雌端子１７２を備え、プラス側及びマイナス側の各電極接続端子１４，１５に導通するプラス極及びマイナス極の２電極で構成された２極コネクタ１７ａの半体として形成されている。そして、ボックス本体１１の一方に備えられたコネクタ１７ａと他方のコネクタ１７ａとは、互いに嵌合して同極同士が電気的に接続されうる構成となっている。
【００２７】
このように、接続用ケーブル１６の端部に形成された２極コネクタ１７ａにおいて、２芯の接続用ケーブル１６の一方の導体１６ａには雄端子１７１が接合されている。また、この接続用ケーブル１６の他方の導体１６ａには雌端子１７２が接合されて、略筒状のハウジング１７５内に保持されている。
【００２８】
例示の形態では、プラス側電極接続端子１４に導通した導体１６ａの一方には雄端子１７１、他方には雌端子１７２が接合されている。そして、１本の接続用ケーブル１６に備えられた雄端子１７１及び雌端子１７２が、内側モールド部１７３によって雌雄一体に樹脂モールドされ、さらに外側モールド部１７４で被覆された二重成形構造となっている。
【００２９】
内側モールド部１７３は、シース１６ｃの端部から、２本のコア１６ｂ，１６ｂの露出部分、雄端子１７１の基端部、さらにハウジング１７５の基端側略半部にかけての範囲を一体に被覆している。この内側モールド部１７３は、シース１６ｃ及びコア１６ｂに溶着しうる合成樹脂系材料によって形成されている。内側モールド部１７３の外周面の一部には、断面山谷状の環状起伏１７３ａが形成されている。
【００３０】
外側モールド部１７４は、内側モールド部１７３、内側モールド部１７３によって被覆されていないシース１６ｃの端部近傍部、及びハウジング１７５の先端側略半部を一体に被覆している。そして、雌端子１７２の先端側は雄端子１７１が挿入される開口を有し、嵌合凸部１７４ｂが形成されている。また、雄端子１７１の先端側に延出した部分は、その内側に嵌合凸部１７４ｂが嵌め込まれる嵌合凹部１７４ａが形成されている。
【００３１】
この嵌合凹部１７４ａの内周面には、嵌め込まれる嵌合凸部１７４ｂの抜け出しを防ぐ断面鋸歯状の突条１７６が形成されている。また、嵌合凸部１７４ｂの外周面にも、嵌合凹部１７４ａからの抜け出しを防ぐ断面鋸歯状の突条１７６が形成されている。
【００３２】
かかる外側モールド部１７４は、内側モールド部１７３に溶着しうる、例えばエチレン・プロピレンゴムとポリプロピレンとの混合物からなる合成ゴム系材料によって形成されている。このように、コネクタ１７ａは嵌合部分（嵌合凹部１７４ａ及び嵌合凸部１７４ｂ）が合成ゴム系材料により形成されることで、嵌合凹部１７４ａと嵌合凸部１７４ｂとを嵌合させたとき、両者が良好に密着して安定した高い水密性の得られるものとなる。
【００３３】
以上のように構成されるコネクタ１７ａは、隣接する太陽電池モジュールに取り付けられた端子ボックスのコネクタ半体と対になって、雌端子１７２側に形成された嵌合凸部１７４ｂが雄端子１７１側に形成された嵌合凹部１７４ａ内にそれぞれ挿し込まれ、プラス極側コネクタ同士、又はマイナス極側コネクタ同士が電気的に接続される。
【００３４】
なお、このように２極以上の端子を接続する形態については、この例に限られず、一方のコネクタ半体に複数個の雄端子を設け、他方のコネクタ半体にこれと同個数の雌端子を設けることもできる。その場合も、各コネクタ半体において、複数個の端子及びそれら端子に接合されたケーブルを外包体によって一体に被覆して高い防水性能を得ることができる。
【００３５】
また、本発明に係る端子ボックス１には逆流防止ダイオードＤが設けられてもよい。この場合、例えば図６に示すように、太陽電池モジュールＭの出力端が接続されるマイナス側電極接続端子１５に取り付けて、電流の逆流を防止することができる。
【００３６】
前記のように構成される端子ボックス１を用いて、以下に示す太陽電池モジュールの配線構造が実現される。図７は、本発明に係る太陽電池モジュールの配線構造を示す電気回路図、図８は複数個の太陽電池モジュールを並列に接続した状態における端子ボックスを示した概略図である。
【００３７】
本発明の太陽電池モジュールの配線構造は、複数個の太陽電池モジュールＭを互いに並列に接続し、この並列接続された太陽電池モジュールＭの複数組を直列に接続して形成されている。
【００３８】
各太陽電池モジュールＭの並列接続は、太陽電池モジュールＭの受光面の背面側に備えられた端子ボックス１によってなされる。
【００３９】
すなわち、太陽電池モジュールＭの出力端は、端子ボックス１の結線用の開口部１２に挿入されて、プラス側電極接続端子１４及びマイナス側電極接続端子１５と接続されている。そして、これらの各電極接続端子１４，１５に導通し、プラス極側及びマイナス極側が一体に形成されたコネクタ１７ａと、隣接する太陽電池モジュールＭの端子ボックス１から導出されているコネクタ１７ａの同極同士を嵌合させるだけで、互いに並列に接続することができる。
【００４０】
したがって、太陽電池モジュールＭ同士の接続に際して、別途基幹ケーブルや分岐用のケーブルを配設したり、屋根上で分岐部分を形成したりすることなく、容易に並列接続させることができる。
【００４１】
そして、このように端子ボックス１を備えた互いに隣接する複数個の太陽電池モジュールＭは、プラス側電極接続端子１４がコネクタ１７ａを介して隣接の太陽電池モジュールＭのプラス側電極接続端子１４と電気的に接続され、マイナス側電極接続端子１５がコネクタ１７ａを介して隣接の太陽電池モジュールＭのマイナス側電極接続端子１５と電気的に接続されて、互いに並列に接続されることとなる。これにより、太陽電池モジュール同士の配線作業は非常に容易なものとなる。
【００４２】
＜第２の実施の形態＞
図９は本発明に係る太陽電池モジュール用端子ボックスの第２の実施の形態を示す。この実施の形態の端子ボックス１は、前記第１の実施の形態と基本構成においてほぼ同様であるが、ボックス本体１１から導出されたコネクタ部分に特徴がある。
【００４３】
図示するように、端子ボックス１はボックス本体１１に備えられたコネクタ１７が、それぞれプラス極又はマイナス極の１極タイプのコネクタとされた１極コネクタの半体を形成している。
【００４４】
例示の形態において、プラス極側及びマイナス極側の各コネクタ１７ｂは、プラス側又はマイナス側電極接続端子（１４，１５）の両端にカシメ止めされた接続用ケーブル１６の他端に形成されている。この接続用ケーブル１６は、内部に導体（１６ａ）を１本ずつ有する１芯ケーブルで構成されている。
【００４５】
そして各コネクタ１７ｂは、それぞれ雄端子（１７１）又は雌端子（１７２）が個別の内側モールド部（１７３）に保持されてボックス本体の一側面において対をなしている。この内側モールド部（１７３）は、前記実施の形態と同様に合成樹脂系材料からなり、各内側モールド部（１７３）ごとに合成ゴム系材料からなる外側モールド部１７４によって被覆されている。この外側モールド部１７４によって、雄端子（１７１）の外側に嵌合凹部１７４ａが形成され、雌端子（１７２）の外側に嵌合凹部１７４ａに嵌め込まれる嵌合凸部１７４ｂが形成されて、コネクタ１７ｂ同士の嵌合部分とされている。
【００４６】
かかる構成の端子ボックス１においても、複数個の太陽電池モジュールＭ同士を並列に接続するには、隣接する太陽電池モジュールＭのプラス極側コネクタ１７同士、及びマイナス極側コネクタ１７同士を嵌合させる作業だけでよい。したがって、前記本発明に係る太陽電池モジュールの配線構造の実現にあたっても、渡り配線等が不要であり、配線作業を非常に容易に行うことができる。
【００４７】
なお、本発明は接続用ケーブル１６の各端部に１極コネクタ１７ｂが２個ずつ配された形態に限られず、例えば図１０に示すように、一方の接続用ケーブル１６の端部に１極コネクタ１７ｂを２個配設し、他方の接続用ケーブル１６の端部に２極コネクタ１７ａを配した形態であってもよい。
【００４８】
＜第３の実施の形態＞
図１１から図１５は本発明に係る太陽電池モジュール用端子ボックスの第３の実施の形態を示し、図１１は太陽電池モジュール用端子ボックスの上面図、図１２は太陽電池モジュール用端子ボックスの変形例を示す上面図、図１３は端子ボックスの（ａ）上面視部分断面図、（ｂ）側面図、及び（ｃ）側面視部分断面図、図１４は端子ボックスの側面図、図１５は図１４の端子ボックスの側面視部分断面図である。
【００４９】
この実施の形態の端子ボックス１は、前記各実施の形態と基本構成においてほぼ同様であるが、ボックス本体１１に設けられたコネクタ部分に特徴がある。図示するように、本発明に係る端子ボックス１は、コネクタ１７ｃが接続用ケーブル１６を介さずにボックス本体１１に直接設けられたものであってもよい。
【００５０】
すなわち、図１３に示すように、この端子ボックス１のプラス側及びマイナス側電極接続端子１４，１５の一端には接続用ケーブル１６を有しないシース１６ｃに被覆された導体１６ａがカシメ止めされている。そして、図１６に示すように、これらの導体１６ａに雄端子１７１又は雌端子１７２が設けられて内側モールド部１７３に保持され、さらに外側モールド部１７４に被覆されて２極コネクタ１７ｃを形成している。このコネクタ１７ｃは、ボックス本体１１の外側に嵌合凸部１７４ｂ及び嵌合凹部１７４ａ（嵌合部分）が露出するように配置されている。
【００５１】
このような端子ボックス１において、他方に設けられるプラス極側及びマイナス極側のコネクタ１７は、図１１に示すように接続用ケーブル１６を備えた２極コネクタ１７ａであっても、また図１２に示すような１極コネクタ１７ｂであっても、また接続ケーブル１６を有しない２極コネクタ１７ｃであってもよい。いずれの場合も、前記各実施の形態と同様に複数個の太陽電池モジュールＭ同士を並列に接続する際の渡り配線作業が不要となって、配線作業を非常に容易に行うことができる。
【００５２】
【発明の効果】
以上説明したように、本発明に係る太陽電池モジュール用端子ボックスは、ボックス本体内にプラス側電極接続端子及びマイナス側電極接続端子配設され、これらの各電極接続端子に導通する複数個のプラス極側コネクタとマイナス極側コネクタとが備えられて、これらの各コネクタが、隣接する太陽電池モジュールの端子ボックスから導出された同極のコネクタと互いに嵌合して電気的に接続されていくものである。したがって、複数個の太陽電池モジュールを互いに並列に接続する場合には、端子ボックスのプラス極側コネクタ同士及びマイナス極側コネクタ同士を嵌め合わせる作業だけですみ、容易に配線することができて施工性が格段に高められる。これとともに、本発明によれば、複数個の太陽電池モジュールを並列に接続するための分岐ケーブルが不要となって、使用するケーブル長の短縮を図ることができ、大幅なコストダウンが可能になる。
【００５３】
また、本発明に係る太陽電池モジュールの配線構造によれば、従来実施されていた２直列接続の太陽電池モジュールの組を複数組、並列に接続する配線構造の場合と同等の電力が得られるだけでなく、その配線作業が容易な構造であって、コストの低減や施工効率の向上を図ることができる。
【図面の簡単な説明】
【図１】本発明に係る太陽電池モジュール用端子ボックスの第１の実施の形態の上面視部分断面図である。
【図２】前記端子ボックスの上面図である。
【図３】前記端子ボックスの側面図である。
【図４】前記端子ボックスの側面視部分断面図である。
【図５】前記端子ボックスに備えられたコネクタ部分の断面図である。
【図６】本発明に係る太陽電池モジュール用端子ボックスの第１の実施の形態の変形例を示す上面視部分断面図である。
【図７】本発明に係る太陽電池モジュールの配線構造を示す電気回路図である。
【図８】複数個の太陽電池モジュールを並列に接続した状態における端子ボックスを示した概略図である。
【図９】本発明に係る太陽電池モジュール用端子ボックスの第２の実施の形態を示す上面図である。
【図１０】本発明に係る太陽電池モジュール用端子ボックスの第２の実施の形態の変形例を示す上面図である。
【図１１】本発明に係る太陽電池モジュール用端子ボックスの第３の実施の形態を示す上面図である。
【図１２】本発明に係る太陽電池モジュール用端子ボックスの第３の実施の形態の変形例を示す上面図である。
【図１３】前記端子ボックスの（ａ）上面視部分断面図、（ｂ）側面図、及び（ｃ）側面視部分断面図である。
【図１４】前記端子ボックスの側面図である。
【図１５】図１４の端子ボックスの側面視部分断面図である。
【図１６】前記端子ボックスにおけるプラス極側及びマイナス極側コネクタ部分を示す断面図である。
【図１７】従来の太陽電池モジュールの配線構造を示す電気回路図である。
【図１８】従来の太陽電池モジュールの配線構造を示す平面図である。
【符号の説明】
１    端子ボックス
１１  ボックス本体
１２  開口部
１３  蓋体
１４  プラス側電極接続端子
１５  マイナス側電極接続端子
１６  接続用ケーブル
１６ａ  導体
１６ｂ  コア
１６ｃ  シース
１７    コネクタ
１７ａ    コネクタ（２極）
１７ｂ    コネクタ（１極）
１７１    雄端子
１７２    雌端子
１７３    内側モールド部
１７３ａ  環状起伏
１７４    外側モールド部
１７４ａ  嵌合凹部（嵌合部分）
１７４ｂ  嵌合凸部（嵌合部分）
１７５    ハウジング
１７６    突条
Ｍ    太陽電池モジュール
Ｄ    逆流防止ダイオード
【図１】
2004349507.tif 000003
【図２】
2004349507.tif 000004
【図３】
2004349507.tif 000005
【図４】
2004349507.tif 000006
【図５】
2004349507.tif 000007
【図６】
2004349507.tif 000008
【図７】
2004349507.tif 000009
【図８】
2004349507.tif 000010
【図９】
2004349507.tif 000011
【図１０】
2004349507.tif 000012
【図１１】
2004349507.tif 000013
【図１２】
2004349507.tif 000014
【図１３】
2004349507.tif 000015
【図１４】
2004349507.tif 000016
【図１５】
2004349507.tif 000017
【図１６】
2004349507.tif 000018
【図１７】
2004349507.tif 000019
【図１８】
2004349507.tif 000020